(57)【要約】【課題】歯数１３以下の少数歯スプラインを転造可能な転造工具を提供すること。【解決手段】本願発明の転造工具１によれば、食付き部２１の歯底面２１ａが転造方向終端側から始端側へ向けて上昇傾斜して構成されているので、従来の転造工具１０１と食付き角αを同じ角度に設定した場合でも、加工歯３の根元側を切断して、加工歯３の先端面（山払い面３１）の面積（転造方向に沿う長さ）をより大きくすることができる。その結果、加工歯３と被転造素材の歯との接触面積を確保して、加工歯３と被転造素材の歯とが非接触となることを防止することができるので、被転造素材を適切な回転ピッチで転動させて、歯数１３以下の少数歯スプラインを転造することができる。【選択図】図３
2007283361.tif 000002
【特許請求の範囲】
【請求項１】
複数の加工歯が設けられる転造歯形面を備え、その転造歯形面の加工歯を被転造素材の外周面に食い込ませ、前記被転造素材の外周面に歯数１３以下の少数歯スプラインを転造する転造工具において、
前記転造歯形面は、前記被転造素材に食い付く食付き部と、その食付き部の転造方向終端側に連設される仕上げ部とを備え、
前記食付き部の加工歯が所定の食付き角で山払いされると共に、前記食付き部の歯底面が転造方向終端側から始端側へ向けて上昇傾斜して構成されていることを特徴とする転造工具。
【請求項２】
前記食付き部の加工歯は、少なくとも転造方向始端における加工歯の先端角が、前記仕上げ部における加工歯の先端角よりも大きくかつ前記仕上げ部における加工歯の先端角の２倍よりも小さい角度で構成されていることを特徴とする請求項１記載の転造工具。
【発明の詳細な説明】
【技術分野】
【０００１】
本発明は、転造工具に関し、特に、歯数１３以下の少数歯スプラインを転造可能な転造工具に関するものである。
【背景技術】
【０００２】
軸状部材へのスプラインの形成は、一般に、転造により行われる。従来の転造工具は、例えば、特許第２９０２１０１号公報に開示されるように、食付き歯群（食付き部）と仕上げ歯群（仕上げ部）とを備え、それら食付き歯群及び仕上げ歯群上で被転造素材を転動させることで、被転造素材の外周面を塑性変形させて、スプラインを転造する。
【０００３】
しかしながら、従来の転造工具では、歯数１３以下の少数歯スプラインを転造することができないという問題点があった。即ち、従来の転造工具では、食付き歯群上で被転造素材を転動させる転造過程において、転造工具の歯と被転造素材の歯とが非接触となる状態が生じるため、被転造素材を適切な回転ピッチで転動させることができず、スプラインの転造が不可能となる。
【特許文献１】特許第２９０２１０１号公報（図２など）
【発明の開示】
【発明が解決しようとする課題】
【０００４】
そこで、本出願人は、スプライン転造用の転造工具と、ねじ又はウォーム転造用の転造工具とを並列に配置した並列型の転造工具を開発した。これによれば、ねじ又はウォーム転造用の転造工具を駆動源として、被転造素材をスプライン転造用の転造工具上で強制的に回転させることができるので、被転造素材に歯数１３以下の少数歯スプラインを転造することができる。
【０００５】
しかしながら、上述した並列型の転造工具では、ねじ又はウォーム転造用の転造工具を別途設ける必要があるため、その分、転造工具の製造コストが増大するという問題点があった。また、この並列型の転造工具では、被転造素材の外周面にねじ又はウォームが転造されるため、これを切り落とす等の後加工が必要になるという問題点があった。
【０００６】
本発明は上述した問題点を解決するためになされたものであり、歯数１３以下の少数歯スプラインを転造可能な転造工具を提供することを目的としている。
【課題を解決するための手段】
【０００７】
この目的を達成するために、請求項１記載の転造工具は、複数の加工歯が設けられる転造歯形面を備え、その転造歯形面の加工歯を被転造素材の外周面に食い込ませ、前記被転造素材の外周面に歯数１３以下の少数歯スプラインを転造するものであり、前記転造歯形面は、前記被転造素材に食い付く食付き部と、その食付き部の転造方向終端側に連設される仕上げ部とを備え、前記食付き部の加工歯が所定の食付き角で山払いされると共に、前記食付き部の歯底面が転造方向終端側から始端側へ向けて上昇傾斜して構成されている。
【０００８】
請求項２記載の転造工具は、請求項１記載の転造工具において、前記食付き部の加工歯は、少なくとも転造方向始端における加工歯の先端角が、前記仕上げ部における加工歯の先端角よりも大きくかつ前記仕上げ部における加工歯の先端角の２倍よりも小さい角度で構成されている。
【発明の効果】
【０００９】
請求項１記載の転造工具によれば、複数の加工歯が設けられる転造歯形面を備え、その転造歯形面は、被転造素材に食い付く食付き部と、その食付き部の転造方向終端側に連設される仕上げ部とを備えるものであり、食付き部の加工歯が所定の食付き角で山払いされると共に、食付き部の歯底面が転造方向終端側から始端側へ向けて上昇傾斜して構成されている。
【００１０】
ここで、従来の転造工具で歯数１３以下の少数歯スプラインを転造すると、転造面上を被転造素材が転動する際に、転造工具の加工歯と被転造素材の歯とが非接触となる状態が生じるため、被転造素材を適切な回転ピッチで転動させることができず、スプラインの転造が不可能となる。
【００１１】
これに対し、本発明によれば、食付き部の歯底面を転造方向終端側から始端側へ向けて上昇傾斜させる構成であるので、従来の転造工具と食付き角を同じ角度に設定した場合でも、加工歯の根元側を切断して、加工歯の先端面（山払い面）の面積（転造方向に沿う長さ）をより大きくすることができる。その結果、転造工具の加工歯と被転造素材の歯との接触面積を確保して、転造工具の加工歯と被転造素材の歯とが非接触となることを防止することができるので、被転造素材を適切な回転ピッチで転動させて、歯数１３以下の少数歯スプラインを転造することができるという効果がある。
【００１２】
更に、食付き部の歯底面を転造方向終端側から始端側へ向けて上昇傾斜させる構成であるので、従来の転造工具と食付き角を同じ角度に設定した場合でも、歯底面が上昇した分だけ、隣り合う加工歯により形成される谷の容積を小さくすることができる。その結果、盛り上げられた余肉を谷に充填させて、転造工具の加工歯と被転造素材の歯とが非接触となることを防止することができるので、被転造素材を適切な回転ピッチで転動させて、歯数１３以下の小数歯スプラインを転造することができるという効果がある。
【００１３】
また、本発明によれば、食付き部の歯底面を転造方向終端側から始端側へ向けて上昇傾斜させる構成により、被転造素材を適切な回転ピッチで転動させることができるので、従来の転造工具のように、被転造素材を強制的に回転させる駆動源が不要となる、即ち、ねじ又はウォーム転造用の転造工具を別途配設することが不要となり、その分、転造工具の製造コストを低減することができるという効果がある。
【００１４】
また、ねじ又はウォーム転造用の転造工具で被転造素材を強制的に回転させる従来の転造工具では、被転造素材の外周面にねじ又はウォームが形成されるため、これを切断する等の後加工が必要となる。これに対し、本発明によれば、スプライン転造用の転造工具のみで歯数１３以下の少数歯スプラインを転造することができる、即ち、ねじ又はウォーム転造用の転造工具で被転造素材を強制的に回転させることが不要となり、被転造素材の外周面にねじ又はウォームが形成されないので、ねじ又はウォームを切断する等の後加工が不要となり、その分、少数歯スプラインの製造能率の向上を図ることができるという効果がある。
【００１５】
請求項２記載の転造工具よれば、請求項１記載の転造工具の奏する効果に加え、食付き部の加工歯は、少なくとも転造方向始端における加工歯の先端角が、仕上げ部における加工歯の先端角よりも大きくかつ仕上げ部における加工歯の先端角の２倍よりも小さい角度で構成されている。
【００１６】
ここで、食付き部の加工歯において、少なくとも転造方向始端における加工歯の先端角が、仕上げ部における加工歯の先端角よりも小さい場合では、加工歯の先端面（山払い面）の面積（転造方向に沿う長さ）が小さくなり、その分、被転造素材と加工歯との接触面積が小さくなる。その結果、転造工具の加工歯と被転造素材の歯との接触面積を十分に確保することができないので、転造工具の加工歯と被転造素材の歯とが非接触となる状態が生じ、被転造素材を適切な回転ピッチで転動させることができない。
【００１７】
また、食付き部の加工歯において、少なくとも転造方向始端における加工歯の先端角が、仕上げ部における加工歯の先端角よりも小さい場合では、谷が深くなり、その分、谷の容積が大きくなる。その結果、盛り上げられた余肉を谷に完全に充填させることができないので、転造工具の加工歯と被転造素材の歯とが非接触となる状態が生じ、被転造素材を適切な回転ピッチで転動させることができない。
【００１８】
これに対し、本発明によれば、食付き部の加工歯は、少なくとも転造方向始端における加工歯の先端角が、仕上げ部における加工歯の先端角よりも大きい角度で構成されているので、加工歯の先端面の面積を大きくして、その分、加工歯と被転造素材との接触面積を確保することができる。その結果、転造工具の加工歯と被転造素材の歯とが非接触となることを防止して、被転造素材を適切な回転ピッチで転動させることができるという効果がある。
【００１９】
更に、本発明によれば、食付き部の加工歯は、少なくとも転造方向始端における加工歯の先端角が、仕上げ部における加工歯の先端角よりも大きい角度で構成されているので、谷を浅くして、その分、谷の容積を小さくすることができる。その結果、盛り上げられた余肉を谷に完全に充填させることができるので、転造工具の加工歯と被転造素材の歯とが非接触となることを防止して、被転造素材を適切な回転ピッチで転動させることができるという効果がある。
【００２０】
一方、食付き部の加工歯において、少なくとも転造方向始端における加工歯の先端角が、仕上げ部における加工歯の先端角の２倍よりも大きい場合では、隣り合う加工歯のフランク同士がなす角度が緩やかになるので、盛り上げられた余肉を収容する谷の容積を確保することができず、盛り上げられた余肉が谷からはみ出して、加工歯の先端面に蓄積される。その結果、加工歯の先端面に蓄積された余肉が転造工具の加工歯と被転造素材の歯との接触を阻害する、即ち、転造工具の加工歯と被転造素材の歯とが非接触となる状態が生じるので、被転造素材を適切な回転ピッチで転動させることができない。
【００２１】
これに対し、本発明によれば、食付き部の加工歯は、少なくとも転造方向始端における加工歯の先端角が、仕上げ部における加工歯の先端角の２倍よりも小さい角度で構成されているので、谷の容積を確保して、盛り上げられた余肉全体を谷に充填させることができる。その結果、盛り上げられた余肉が加工歯の先端面に蓄積されることを防止することができるので、加工歯の先端面に蓄積された余肉が転造工具の加工歯と被転造素材の歯との接触を阻害することにより、転造工具の加工歯と被転造素材の歯とが非接触となることを防止して、被転造素材を適切な回転ピッチで転動させることができるという効果がある。
【００２２】
ここで、スプラインの転造開始時では、被転造素材の外周面に歯が形成されていないので、被転造素材が加工歯に対して滑りやすい。その結果、被転造素材の回転ピッチの精度が低下して、スプラインの加工精度が低下する。
【００２３】
これに対し、本発明によれば、少なくとも転造方向始端における加工歯の先端角が、仕上げ部における加工歯の先端角よりも大きくかつ仕上げ部における加工歯の先端角の２倍よりも小さい角度で構成されている。これにより、上述したように、最初に食い付く加工歯と被転造素材との接触面積を確保することができると共に、盛り上げられた余肉を谷からはみ出すことなく完全に充填させることができるので、転造開始時に被転造素材が滑ることを防止することができる。その結果、被転造素材の回転ピッチの精度が低下することを抑制して、スプラインの加工精度が低下することを抑制することができるという効果がある。
【発明を実施するための最良の形態】
【００２４】
以下、本発明の好ましい実施の形態について、添付図面を参照して説明する。図１は、本発明の一実施の形態における転造工具１を説明する図であり、図１（ａ）は、転造工具１の上面図であり、図１（ｂ）は、転造工具１の側面図である。
【００２５】
まず、図１を参照して、転造工具１の全体構成について説明する。転造工具１は、円柱状に構成された被転造素材の外周面を塑性変形させて、歯数１３以下の少数歯スプラインを転造加工により転造するための工具である。
【００２６】
なお、図１では、一対の転造工具１のうち、転造盤（図示せず）に固定される一方の転造工具１を図示しており、かかる一方の転造工具１に対して平行移動される他方の転造工具１の図示を省略している。
【００２７】
転造工具１は、図１に示すように、転造に適した合金工具鋼又は高速度工具鋼等の金属材料から略直方体状に形成されており、その上面側（図１（ａ）紙面手前側、図１（ｂ）上側）には、被転造素材の外周面にスプラインの転造を行うための転造歯形面２が設けられている。
【００２８】
転造歯形面２には、図１に示すように、転造工具１の転造方向始端側（図１右側）から終端側（図１左側）へ向けて、食付き部２１、仕上げ部２２及び逃げ部２３が順に連続して設けられている。
【００２９】
なお、これら食付き部２１、仕上げ部２２及び逃げ部２３で構成された転造歯形面２には、複数の加工歯３が刻設されている。これら複数の加工歯３は、被転造素材の外周寸法に対応した一定のピッチで転造方向（図１左右方向）へ列設されると共に、転造方向に対して略直交する方向（図１（ｂ）上下方向）へ向けて連続して延設されている。
【００３０】
食付き部２１は、転造歯形面２を被転造素材の外周面に食い付かせるための部位であり、いわゆる食付き部として用いられる。この食付き部２１は、図１（ｂ）に示すように、その終端側（図１（ｂ）左側）から始端側（図１（ｂ）右側）へ向けて食付き角αで下降傾斜するように山払い加工が施されている。
【００３１】
また、食付き部２１の加工歯３の谷同士を結ぶ平面である歯底面２１ａは、仕上げ部２２の後述する歯底面２２ａに対して傾斜角β（図２（ａ）及び図２（ｂ）参照）で傾斜すると共に、食付き部２１の転造方向終端側から始端側へ向けて上昇して形成されている。なお、図１では、傾斜角βの図示が省略されている。
【００３２】
仕上げ部２２は、食付き部２１によって被転造素材に転造されたスプラインを仕上げるための部位であり、図１（ｂ）に示すように、仕上げ部２２の加工歯３の谷同士を結ぶ平面である歯底面２２ａ及び仕上げ部２２の加工歯３の先端同士を結ぶ平面である歯先面２２ｂは、転造工具１の支持面（図１（ｂ）下側面）に対して略平行に形成されている。
【００３３】
逃げ部２３は、仕上げ部２２により仕上げられた被転造素材を転造歯形面２から排出するための部位であり、いわゆる逃げ部として用いられている。この逃げ部２３は、図１（ｂ）に示すように、仕上げ部２２の終端から転造工具１の転造方向終端（図１（ｂ）左側）へ向けて傾斜角γで下降傾斜して形成されている。
【００３４】
次いで、図２を参照して、加工歯３の詳細について説明する。図２（ａ）は、図１（ａ）の矢印ＩＩａ方向から見た転造工具１の側面図であり、図２（ｂ）は、図１（ａ）の矢印ＩＩｂ方向から見た転造工具１の側面図であり、図２（ｃ）は、図１（ａ）の矢印ＩＩｃ方向から見た転造工具１の側面図である。なお、図２（ａ）及び図２（ｂ）では、理解を容易とするために、山払いされる前の加工歯３の形状が点線で図示されている。また、図２では、食付き部２１及び仕上げ部２２の歯底面２１ａ，２２ａが２点鎖線で図示されている。
【００３５】
なお、矢印ＩＩａとは、食付き部２１の転造方向始端側から１３個の加工歯３の内の一部を指す矢印が該当する。また、矢印ＩＩｂとは、食付き部２１の転造方向始端側から１４個目の加工歯３と食付き部２１の転造方向終端の加工歯３との間に位置する加工歯３の内の一部を指す矢印が該当する。また、矢印ＩＩｃとは、仕上げ部２２における加工歯３の内の一部を指す矢印が該当する。
【００３６】
まず、図２（ａ）を参照して、食付き部２１の矢印ＩＩａ（図１（ａ）参照）方向から見た加工歯３の詳細について説明する。食付き部２１の転造方向始端側（図２（ａ）右側）から１３個の加工歯３は、図２（ａ）に示すように、隣り合う２つのフランクがなす先端角がθ１に設定されている。なお、本実施の形態では、先端角θ１は、１００°に設定されている。また、食付き部２１の転造方向始端側から１３個の加工歯３は、食付き角αで山払い加工を施して形成される山払い面３１を備えている。
【００３７】
ここで、食付き部２１の転造方向始端側から１３個の加工歯３は、その先端角θ１が１００°に設定されているので、先端角θ１が仕上げ部２２の後述する先端角θ３（図２（ｃ）参照）と同じ角度である６０°に設定される場合と比較して、山払い面３１の転造方向（図２（ａ）左右方向）における寸法が大きくなり、その分、山払い面３１の転造方向における面積が大きくなる。
【００３８】
また、食付き部２１の転造方向始端側から１３個の加工歯３は、その先端角θ１が１００°に設定されているので、先端角θ１が先端角θ３と同じ角度に設定される場合と比較して、谷が浅くなり、その分、谷の容積が小さくなる。
【００３９】
次に、図２（ｂ）を参照して、食付き部２１の矢印ＩＩｂ（図１（ａ）参照）方向から見た加工歯３の詳細について説明する。食付き部２１の転造方向始端側（図２（ｂ）右側）から１４個目の加工歯３と食付き部２１の転造方向終端側（図２（ｂ）左側）の加工歯３との間に位置する加工歯３は、図２（ｂ）に示すように、隣り合う２つのフランクがなす先端角がθ２に設定されている。なお、先端角θ２は、仕上げ部２２の後述する先端角θ３（図２（ｃ）参照）と同じ角度に設定されるものであり、本実施の形態では、６０°に設定されている。
【００４０】
また、食付き部２１の転造方向始端側から１４個目の加工歯３と食付き部２１の転造方向終端側の加工歯３との間に位置する加工歯３は、食付き部２１の転造方向始端側から１３個の加工歯３と同様に、食付き角αで山払い加工を施して形成される山払い面３１を備えている。
【００４１】
次に、図２（ｃ）を参照して、仕上げ部２２の矢印ＩＩｃ（図１（ａ）参照）方向から見た加工歯３の詳細について説明する。仕上げ部２２の加工歯３は、図２（ｃ）に示すように、隣り合う２つのフランクがなす先端角がθ３に設定されている。なお、本実施の形態では、先端角θ３は、６０°に設定されている。
【００４２】
次いで、図３を参照して、転造方法について説明する。図３（ａ）は、本発明の転造工具１における食付き部２１を模式的に示した側面図であり、図３（ｂ）は、従来の転造工具１０１における食付き部１２１を模式的に示した側面図である。なお、図３では、理解を容易とするために、山払いされる前の加工歯３，１０３の形状が点線で図示されている。また、図３では、食付き部２１，１２１の歯底面２１ａ，１２１ａ、仕上げ部２２の歯底面２２ａ及び歯先面２２ｂが２点鎖線で図示されている。
【００４３】
なお、本発明の転造工具１と従来の転造工具１０１との比較を容易とするために、本発明の転造工具１と従来の転造工具１０１とは、同じ食付き角αを有して構成されている。同様に、本発明の転造工具１における加工歯３と従来の転造工具１０１における加工歯１０３とは、それらの隣り合う２つのフランクがなす先端角が同じ角度で構成されている。
【００４４】
まず、本発明の転造工具１は、図３（ａ）に示すように、食付き部２１の歯底面２１ａが転造方向終端側（図３（ａ）左側）から始端側（図３（ａ）右側）へ向かって傾斜角βで上昇傾斜して形成されている。
【００４５】
一方、従来の転造工具１０１は、図３（ｂ）に示すように、食付き部１２１の歯底面１２１ａが仕上げ部（図示せず）の歯底面と略平行に形成されている。また、食付き部１２１の加工歯１０３は、食付き角αで山払い加工が施されて形成された山払い面１３１を備えている。
【００４６】
ここで、従来の転造工具１０１で歯数１３以下の少数歯スプラインを転造すると、転造面上を被転造素材が転動する際に、加工歯１０３と被転造素材とが非接触となる状態が生じるため、被転造素材を適切な回転ピッチで転動させることができず、スプラインの転造ができない。
【００４７】
これに対し、本発明の転造工具１では、上述したように、その歯底面２１ａが転造方向終端側から始端側へ向かって傾斜角βで上昇傾斜されている。これにより、本発明の転造工具１における加工歯３は、図３に示すように、従来の転造工具１０１における加工歯１０３と比較して、加工歯３の根元を山払いすることができるので、その分、山払い面３１の転造方向長さ（図３（ａ）左右方向長さ）を大きくすることができる、即ち、山払い面３１の面積を転造方向に沿って大きくすることができる。
【００４８】
その結果、食付き部２１上を転動する被転造素材と加工歯３との接触面積を確保することができるので、被転造素材が転動した場合に、被転造素材と加工歯３との接触状態を維持することができる、即ち、被転造素材の歯と加工歯３とが非接触となることを防止することができる。これにより、被転造素材を適切な回転ピッチで転動させて、歯数１３以下の少数歯スプラインを転造することができる。
【００４９】
更に、本発明の転造工具１では、上述したように、その歯底面２１ａが転造方向終端側から始端側へ向かって傾斜角βで上昇傾斜されている。これにより、本発明の転造工具１は、図３に示すように、歯底面２１ａが上昇した分、山払い面３１と歯底面２１ａとの距離を短くして、谷の容積を小さくすることができる。
【００５０】
その結果、加工歯３により盛り上げられた余肉を谷に完全に充填させることができるので、盛り上げられた余肉と谷との間に隙間が生じることを防止する、即ち、被転造素材の歯と加工歯３とが非接触となることを防止することができる。これにより、被転造素材を適切な回転ピッチで転動させて、歯数１３以下の少数歯スプラインを転造することができる。
【００５１】
また、本発明の転造工具１では、食付き部２１の歯底面２１ａを傾斜角βで傾斜させることにより、被転造素材を適切な回転ピッチで転動させることができるので、従来の転造工具１０１のように、被転造素材を強制的に回転させるために、ねじ又はウォーム転造用の転造工具を別途配設することが不要となり、その分、転造工具１の製造コストの低減を図ることができる。
【００５２】
また、ねじ又はウォーム転造用の転造工具で被転造素材を強制的に回転させる従来の転造工具１０１では、被転造素材の外周面にねじ又はウォームが形成されるため、これを切断する等の後加工が必要となる。これに対し、本発明の転造工具１では、スプライン転造用の転造工具１のみで歯数１３以下の少数歯スプラインを転造することができる、即ち、ねじ又はウォーム転造用の転造工具で被転造素材を強制的に回転させることが不要となり、被転造素材の外周面にねじ又はウォームが形成されないので、ねじ又はウォームを切断する等の後加工が不要となり、その分、少数歯スプラインの製造能率の向上を図ることができる。
【００５３】
ここで、本発明の転造工具１は、歯数１３の少数歯スプラインを転造するための工具であり、食付き部２１の転造方向始端側から１３個の加工歯３が被転造素材に食い付く際に、被転造素材の外周面に歯が形成されていないので、被転造素材が加工歯３に対して滑りやすい。その結果、被転造素材の回転ピッチの精度が低下して、スプラインの加工精度が低下する可能性がある。
【００５４】
そこで、本発明の転造工具１では、上述したように、食付き部２１の転造方向始端側から１３個の加工歯３、即ち、被転造素材の転造開始時における１回転に対応した１３個の加工歯３は、上述したように、その先端角θ１（図２（ａ）参照）が１００°に設定されている。
【００５５】
これにより、食付き部２１の転造方向始端側から１３個の加工歯３は、上述したように、先端角θ１が仕上げ部２２の先端角θ３（６０°、図２（ｃ）参照）と同じ角度に設定される場合と比較して、その山払い面３１の転造方向における面積を大きくすることができる。即ち、被転造素材を転動させた場合に、被転造素材と加工歯３との接触状態を維持することができる。
【００５６】
その結果、加工歯３と被転造素材の歯とが非接触となる状態が生じることを防止することができるので、転造開始時に被転造素材が加工歯３に対して滑ることを防止することができる。これにより、被転造素材の回転ピッチの精度が低下することを防止して、スプラインの加工精度が低下することを抑制することができる。
【００５７】
更に、食付き部２１の転造方向始端側から１３個の加工歯３は、上述したように、先端角θ１が仕上げ部２２の先端角θ３（６０°）と同じ角度に設定される場合と比較して、谷の容積を小さくすることができる。
【００５８】
その結果、盛り上げられた余肉を谷に完全に充填させることができるので、盛り上げられた余肉と谷との間に隙間が生じることを防止する、即ち、被転造素材の歯と加工歯３とが非接触となることを防止することができる。これにより、転造開始時において被転造素材が加工歯３に対して滑ることを防止することができるので、被転造素材の回転ピッチの精度が低下することを防止して、スプラインの加工精度が低下することを抑制することができる。
【００５９】
なお、本実施の形態では、食付き部２１の転造方向始端側から１３個の加工歯３は、その先端角θ１が１００°に設定されているが、必ずしもこれに限られるものではなく、仕上げ部２２の加工歯３の先端角θ３よりも大きく、かつ、仕上げ部２２の加工歯３の先端角θ３の２倍よりも小さい範囲内で種々に変更可能である。
【００６０】
ここで、加工歯３の先端角θ１が、仕上げ部２２における加工歯３の先端角θ３よりも小さい場合では、山払い面３１の転造方向（図３左右方向）における寸法が小さくなるので、山払い面３１の転造方向における面積が小さくなり、その分、被転造素材と加工歯３との接触面積が小さくなる。その結果、加工歯３と被転造素材の歯との接触面積を十分に確保することができないので、加工歯３と被転造素材とが非接触となる状態が生じ、被転造素材を適切な回転ピッチで転動させることができない。
【００６１】
また、加工歯３の先端角θ１が、仕上げ部２２における加工歯３の先端角θ３よりも小さい場合では、谷が深くなり、その分、谷の容積が大きくなる。その結果、盛り上げられた余肉を谷に完全に充填させることができないので、余肉と谷との間に隙間が生じる、即ち、加工歯３と被転造素材とが非接触となる状態が生じ、被転造素材を適切な回転ピッチで転動させることができない。
【００６２】
そこで、上述したように、加工歯３の先端角θ１を仕上げ部２２における加工歯３の先端角θ３よりも大きくすることで、山払い面３１の転造方向における面積を大きくすることができると共に、谷の容積を小さくすることができるので、加工歯３と被転造素材とが非接触となることを防止して、被転造素材を適切な回転ピッチで確実に転動させることができる。
【００６３】
一方、加工歯３の先端角θ１が、仕上げ部２２における加工歯３の先端角θ３の２倍よりも大きい場合では、フランク同士のなす角度が緩やかになるので、盛り上げられた余肉を収容する谷の容積を確保することができず、盛り上げられた余肉が谷からはみ出して、山払い面３１上に蓄積される。その結果、山払い面３１上に蓄積された余肉が山払い面３１と被転造素材の歯との接触を阻害する、即ち、加工歯３と被転造素材の歯とが非接触となる状態が生じるので、被転造素材を適切な回転ピッチで転動させることができない。
【００６４】
そこで、上述したように、加工歯３の先端角θ１を仕上げ部２２における加工歯３の先端角θ３の２倍よりも小さくすることで、フランク同士のなす角度が大きくなり、盛り上げられた余肉を収容する谷の容積を確保することができる。これにより、盛り上げられた余肉全体を谷に完全に充填させることができるので、盛り上げられた余肉が谷からはみ出すことを防止する、即ち、盛り上げられた余肉が山払い面３１に蓄積されることを防止することができる。その結果、山払い面３１に蓄積された余肉が加工歯３と被転造素材の歯との接触を阻害することにより、加工歯３と被転造素材の歯とが非接触となることを防止して、被転造素材を適切な回転ピッチで転動させることができる。
【００６５】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００６６】
例えば、本実施の形態では、食付き部２１の転造方向始端から１３個の加工歯３は、その先端角θ１が、仕上げ部２２の先端角θ３よりも大きくかつ仕上げ部２２の先端角θ３の２倍よりも小さい角度に設定されているが、仕上げ部２２の先端角θ３の１．２倍よりも大きくかつ仕上げ部２２の先端角θ３の１．８倍よりも小さい角度に設定することが望ましく、また、仕上げ部２２の先端角θ３の１．４倍よりも大きくかつ仕上げ部２２の先端角θ３の１．６倍よりも小さい角度に設定することが更に望ましい。
【００６７】
これにより、山払い面３１の転造方向における面積を確実に大きくすることができると共に、谷の容積を確実に小さくすることができるので、加工歯３と被転造素材の歯とが非接触となることを確実に防止して、被転造素材を適切な回転ピッチで確実に転動させることができる。
【００６８】
更に、盛り上げられた余肉を充填させる谷の容積を確実に確保することができるので、谷から余肉がはみ出すことを確実に防止して、盛り上げられた余肉が山払い面３１に蓄積されることを確実に防止することができる。その結果、山払い面３１と被転造素材の歯との間に余肉が介在することを確実に防止することができるので、加工歯３と被転造素材の歯とが非接触となることを確実に防止して、被転造素材を適切な回転ピッチで確実に転動させることができる。
【００６９】
また、本実施の形態では、食付き部２１の転造方向始端から１３個の加工歯３の先端角θ１が、仕上げ部２２の先端角θ３よりも大きくかつ仕上げ部２２の先端角θ３の２倍よりも小さい角度に設定されているが、必ずしもこれに限られるものではなく、例えば、歯数１２の少数歯スプラインを転造する場合には、食付き部２１の転造方向始端から１２個の加工歯の先端角を、仕上げ部２２の先端角θ３よりも大きくかつ仕上げ部２２の先端角θ３の２倍よりも小さい角度に設定すればよい。
【００７０】
即ち、歯数ｎの少数歯スプラインを転造する場合には、食付き部２１の転造方向始端からｎ個の加工歯３の先端角を、仕上げ部２２の先端角θ３よりも大きくかつ仕上げ部２２の先端角θ３の２倍よりも小さい角度に設定すればよい。
【００７１】
これにより、被転造素材に最初に食い付く加工歯３と被転造素材との接触面積を確保することができると共に、盛り上げられた余肉を谷に完全に充填させることができるので、加工歯３と被転造素材の歯とが非接触となることを防止して、転造開始時に被転造素材が滑ることを防止することができる。その結果、被転造素材の回転ピッチの精度が低下することを抑制して、スプラインの加工精度が低下することを抑制することができる。
【００７２】
また、本実施の形態では、食付き部２１の転造方向始端から１３個の加工歯３は、その先端角θ１が全て同じ角度で構成されているが、必ずしもこれに限られるものではなく、例えば、食付き部２１の転造方向始端から１３個の加工歯３の先端角θ１を、仕上げ部２２における加工歯３の先端角θ３よりも大きくかつ仕上げ部２２における加工歯３の先端角θ３の２倍よりも小さい範囲内で、転造方向始端から終端へ向けて漸次小さくなるように構成してもよい。
【００７３】
これにより、食付き部２１の転造方向始端から１３個の加工歯３は、その先端角θ１が転造方向始端から終端へ向けて仕上げ部２２の加工歯３と同一の角度に近づくので、形成される被転造素材の歯を所望のスプラインの形状に近づけることができる。その結果、転造能率の向上を図ると共に、スプラインの加工精度が低下することを抑制することができる。
【図面の簡単な説明】
【００７４】
【図１】本発明の一実施の形態における転造工具を説明する図であり、（ａ）は、転造工具の上面図であり、（ｂ）は、転造工具の側面図である。
【図２】（ａ）は、図１（ａ）の矢印ＩＩａ方向から見た転造工具の側面図であり、（ｂ）は、図１（ａ）の矢印ＩＩｂ方向から見た転造工具の側面図であり、（ｃ）は、図１（ａ）の矢印ＩＩｃ方向から見た転造工具の側面図である。
【図３】（ａ）は、本発明の転造工具における食付き部を模式的に示した側面図であり、（ｂ）は、従来の転造工具における食付き部を模式的に示した側面図である。
【符号の説明】
【００７５】
１      転造工具
２      転造歯形面
３      加工歯
２１    食付き部
２１ａ  歯底面
２２    仕上げ部
α      食付き角
θ１    先端角（転造方向始端における加工歯の先端角）
θ３    先端角（仕上げ部における加工歯の先端角）
【図１】
2007283361.tif 000003
【図２】
2007283361.tif 000004
【図３】
2007283361.tif 000005